【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
ワイヤレスデバイスによるワイヤレス通信のための方法であって、
連続した番号のセットを周波数順に通信チャネルの複数の通信リソースに割り当てるステップであって、
前記通信チャネルが複数の周波数リソースおよび複数の時間リソースを含み、
前記複数の通信リソースが、周波数において不連続であり、不連続なインデックスと関連付けられた周波数リソースに割り当てられ、
前記複数の通信リソースのうちの第1の通信リソースが、前記複数の通信リソースのうちの第2の通信リソースから、1つまたは複数の通信リソースによって、周波数において分離され、
前記第1の通信リソースが第1のインデックスに割り当てられ、前記第2の通信リソースが第2のインデックスに割り当てられ、前記第1のインデックスと前記第2のインデックスとは不連続であり、
前記第1の通信リソースが、前記連続した番号のセットのうちの第1の番号に割り当てられ、前記第2の通信リソースが、前記連続した番号のセットのうちの第2の番号に割り当てられ、前記第1の番号と前記第2の番号とは連続であり、
前記複数の通信リソースが、複数のリソース要素または複数のリソースブロックを含み、
各リソースブロックが周波数と時間の複数のリソース要素を含み、
各リソース要素が、前記複数の周波数リソースのうちの1つの周波数リソースと、前記複数の時間リソースのうちの1つの時間リソースとに対応する、ステップと、
第1の時間リソースの間にアップリンク制御情報を通信するために必要なリソース要素の第1の数が、前記第1の時間リソースに含まれるリソース要素の第2の数以上であるかどうかを決定するステップと、
前記第1の数が前記第2の数以上である場合は、前記第1の時間リソース内のリソース要素が前記連続した番号のセットに基づいて連続的順序付けで順序付けられるとき、前記アップリンク制御情報を搬送する連続的順序付けによる隣接するリソース要素が第1の分離量だけ分離されるように、前記アップリンク制御情報を前記リソース要素にマッピングするステップと、
前記第1の数が前記第2の数以上でない場合は、前記第1の時間リソース内のリソース要素が前記連続した番号のセットに基づいて前記連続的順序付けで順序付けられるとき、前記アップリンク制御情報を搬送する前記連続的順序付けによる隣接するリソース要素が第2の分離量だけ分離されるように、前記アップリンク制御情報を前記リソース要素にマッピングするステップと、
前記マッピングに基づいて、前記複数の通信リソース内で前記アップリンク制御情報を送信するステップまたは受信するステップの一方と
を含む、方法。
【請求項２】
前記複数の周波数リソースが複数のサブキャリアを含み、
前記複数の時間リソースが複数のシンボルを含む、請求項1に記載の方法。
【請求項３】
前記第1の分離量が、1つのリソース要素に等しい、請求項1に記載の方法。
【請求項４】
前記第2の分離量が、前記第2の数を前記第1の数で割ったもののfloorに等しい、請求項1に記載の方法。
【請求項５】
前記通信チャネルが、物理アップリンク共有チャネル(PUSCH)を含む、請求項1に記載の方法。
【請求項６】
前記アップリンク制御情報を複数の変調されたアップリンク制御情報シンボルに変調するステップをさらに含み、
前記アップリンク制御情報をマッピングするステップが、前記複数の変調されたアップリンク制御情報シンボルの各々を、前記複数の通信リソースの異なるリソース要素にマッピングするステップを含む、請求項1に記載の方法。
【請求項７】
メモリと、
前記メモリに結合されたプロセッサと
を備え、前記プロセッサが、
連続した番号のセットを周波数順に通信チャネルの複数の通信リソースに割り当てることであって、
前記通信チャネルが複数の周波数リソースおよび複数の時間リソースを含み、
前記複数の通信リソースが、周波数において不連続であり、不連続なインデックスと関連付けられた周波数リソースに割り当てられ、
前記複数の通信リソースのうちの第1の通信リソースが、前記複数の通信リソースのうちの第2の通信リソースから、1つまたは複数の通信リソースによって、周波数において分離され、
前記第1の通信リソースが第1のインデックスに割り当てられ、前記第2の通信リソースが第2のインデックスに割り当てられ、前記第1のインデックスと前記第2のインデックスとは不連続であり、
前記第1の通信リソースが、前記連続した番号のセットのうちの第1の番号に割り当てられ、前記第2の通信リソースが、前記連続した番号のセットのうちの第2の番号に割り当てられ、前記第1の番号と前記第2の番号とは連続であり、
前記複数の通信リソースが、複数のリソース要素または複数のリソースブロックを含み、
各リソースブロックが周波数と時間の複数のリソース要素を含み、
各リソース要素が、前記複数の周波数リソースのうちの1つの周波数リソースと、前記複数の時間リソースのうちの1つの時間リソースとに対応する、割り当てることと、
第1の時間リソースの間にアップリンク制御情報を通信するために必要なリソース要素の第1の数が、前記第1の時間リソースに含まれるリソース要素の第2の数以上であるかどうかを決定することと、
前記第1の数が前記第2の数以上である場合は、前記第1の時間リソース内のリソース要素が前記連続した番号のセットに基づいて連続的順序付けで順序付けられるとき、前記アップリンク制御情報を搬送する連続的順序付けによる隣接するリソース要素が第1の分離量だけ分離されるように、前記アップリンク制御情報を前記リソース要素にマッピングすることと、
前記第1の数が前記第2の数以上でない場合は、前記第1の時間リソース内のリソース要素が前記連続した番号のセットに基づいて前記連続的順序付けで順序付けられるとき、前記アップリンク制御情報を搬送する前記連続的順序付けによる隣接するリソース要素が第2の分離量だけ分離されるように、前記アップリンク制御情報を前記リソース要素にマッピングすることと、
前記マッピングに基づいて、前記複数の通信リソース内で前記アップリンク制御情報を送信することまたは受信することの一方と
を行うように構成される、ワイヤレスデバイス。
【請求項８】
前記複数の周波数リソースが複数のサブキャリアを含み、
前記複数の時間リソースが複数のシンボルを含む、請求項7に記載のワイヤレスデバイス。
【請求項９】
前記第1の分離量が、1つのリソース要素に等しい、請求項7に記載のワイヤレスデバイス。
【請求項１０】
前記第2の分離量が、前記第2の数を前記第1の数で割ったもののfloorに等しい、請求項7に記載のワイヤレスデバイス。
【請求項１１】
前記通信チャネルが、物理アップリンク共有チャネル(PUSCH)を含む、請求項7に記載のワイヤレスデバイス。
【請求項１２】
前記プロセッサが、前記アップリンク制御情報を複数の変調されたアップリンク制御情報シンボルに変調するようにさらに構成され、
前記アップリンク制御情報をマッピングすることが、前記複数の変調されたアップリンク制御情報シンボルの各々を、前記複数の通信リソースの異なるリソース要素にマッピングすることを含む、請求項7に記載のワイヤレスデバイス。
【請求項１３】
連続した番号のセットを周波数順に通信チャネルの複数の通信リソースに割り当てるための手段であって、
前記通信チャネルが複数の周波数リソースおよび複数の時間リソースを含み、
前記複数の通信リソースが、周波数において不連続であり、不連続なインデックスと関連付けられた周波数リソースに割り当てられ、
前記複数の通信リソースのうちの第1の通信リソースが、前記複数の通信リソースのうちの第2の通信リソースから、1つまたは複数の通信リソースによって、周波数において分離され、
前記第1の通信リソースが第1のインデックスに割り当てられ、前記第2の通信リソースが第2のインデックスに割り当てられ、前記第1のインデックスと前記第2のインデックスとは不連続であり、
前記第1の通信リソースが、前記連続した番号のセットのうちの第1の番号に割り当てられ、前記第2の通信リソースが、前記連続した番号のセットのうちの第2の番号に割り当てられ、前記第1の番号と前記第2の番号とは連続であり、
前記複数の通信リソースが、複数のリソース要素または複数のリソースブロックを含み、
各リソースブロックが周波数と時間の複数のリソース要素を含み、
各リソース要素が、前記複数の周波数リソースのうちの1つの周波数リソースと、前記複数の時間リソースのうちの1つの時間リソースとに対応する、手段と、
前記複数の通信リソースに割り当てられた前記連続した番号のセットに基づいて、アップリンク制御情報を前記複数の通信リソースにマッピングするための手段であって、
前記マッピングするための手段が、
第1の時間リソースの間にアップリンク制御情報を通信するために必要なリソース要素の第1の数が、前記第1の時間リソースに含まれるリソース要素の第2の数以上であるかどうかを決定することと、
前記第1の数が前記第2の数以上である場合は、前記第1の時間リソース内のリソース要素が前記連続した番号のセットに基づいて連続的順序付けで順序付けられるとき、前記アップリンク制御情報を搬送する連続的順序付けによる隣接するリソース要素が第1の分離量だけ分離されるように、前記アップリンク制御情報を前記リソース要素にマッピングすることと、
前記第1の数が前記第2の数以上でない場合は、前記第1の時間リソース内のリソース要素が前記連続した番号のセットに基づいて前記連続的順序付けで順序付けられるとき、前記アップリンク制御情報を搬送する前記連続的順序付けによる隣接するリソース要素が第2の分離量だけ分離されるように、前記アップリンク制御情報を前記リソース要素にマッピングすることと
を行うように構成される、手段と、
前記マッピングに基づいて、前記複数の通信リソース内で前記アップリンク制御情報を送信するための手段または受信するための手段の一方と
を含む、ワイヤレスデバイス。
【請求項１４】
前記複数の周波数リソースが複数のサブキャリアを含み、
前記複数の時間リソースが複数のシンボルを含む、請求項13に記載のワイヤレスデバイス。
【請求項１５】
前記第1の分離量が、1つのリソース要素に等しい、請求項13に記載のワイヤレスデバイス。
【請求項１６】
前記第2の分離量が、前記第2の数を前記第1の数で割ったもののfloorに等しい、請求項13に記載のワイヤレスデバイス。
【請求項１７】
前記通信チャネルが、物理アップリンク共有チャネル(PUSCH)を含む、請求項13に記載のワイヤレスデバイス。
【請求項１８】
前記アップリンク制御情報を複数の変調されたアップリンク制御情報シンボルに変調するための手段をさらに含み、
前記アップリンク制御情報をマッピングするための手段が、前記複数の変調されたアップリンク制御情報シンボルの各々を、前記複数の通信リソースの異なるリソース要素にマッピングするための手段を含む、請求項13に記載のワイヤレスデバイス。
【請求項１９】
命令を記憶する非一時的コンピュータ可読記憶媒体であって、前記命令が、ワイヤレスデバイスによって実行されると、前記ワイヤレスデバイスに、ワイヤレス通信のための方法を実行させ、前記方法が、
連続した番号のセットを周波数順に通信チャネルの複数の通信リソースに割り当てるステップであって、
前記通信チャネルが複数の周波数リソースおよび複数の時間リソースを含み、
前記複数の通信リソースが、周波数において不連続であり、不連続なインデックスと関連付けられた周波数リソースに割り当てられ、
前記複数の通信リソースのうちの第1の通信リソースが、前記複数の通信リソースのうちの第2の通信リソースから、1つまたは複数の通信リソースによって、周波数において分離され、
前記第1の通信リソースが第1のインデックスに割り当てられ、前記第2の通信リソースが第2のインデックスに割り当てられ、前記第1のインデックスと前記第2のインデックスとは不連続であり、
前記第1の通信リソースが、前記連続した番号のセットのうちの第1の番号に割り当てられ、前記第2の通信リソースが、前記連続した番号のセットのうちの第2の番号に割り当てられ、前記第1の番号と前記第2の番号とは連続であり、
前記複数の通信リソースが、複数のリソース要素または複数のリソースブロックを含み、
各リソースブロックが周波数と時間の複数のリソース要素を含み、
各リソース要素が、前記複数の周波数リソースのうちの1つの周波数リソースと、前記複数の時間リソースのうちの1つの時間リソースとに対応する、ステップと、
第1の時間リソースの間にアップリンク制御情報を通信するために必要なリソース要素の第1の数が、前記第1の時間リソースに含まれるリソース要素の第2の数以上であるかどうかを決定するステップと、
前記第1の数が前記第2の数以上である場合は、前記第1の時間リソース内のリソース要素が前記連続した番号のセットに基づいて連続的順序付けで順序付けられるとき、前記アップリンク制御情報を搬送する連続的順序付けによる隣接するリソース要素が第1の分離量だけ分離されるように、前記アップリンク制御情報を前記リソース要素にマッピングするステップと、
前記第1の数が前記第2の数以上でない場合は、前記第1の時間リソース内のリソース要素が前記連続した番号のセットに基づいて前記連続的順序付けで順序付けられるとき、前記アップリンク制御情報を搬送する前記連続的順序付けによる隣接するリソース要素が第2の分離量だけ分離されるように、前記アップリンク制御情報を前記リソース要素にマッピングするステップと、
前記マッピングに基づいて、前記複数の通信リソース内で前記アップリンク制御情報を送信するステップまたは受信するステップの一方と
を含む、非一時的コンピュータ可読記憶媒体。
【請求項２０】
前記複数の周波数リソースが複数のサブキャリアを含み、
前記複数の時間リソースが複数のシンボルを含む、請求項19に記載の非一時的コンピュータ可読記憶媒体。
【請求項２１】
前記第1の分離量が、1つのリソース要素に等しい、請求項19に記載の非一時的コンピュータ可読記憶媒体。
【請求項２２】
前記第2の分離量が、前記第2の数を前記第1の数で割ったもののfloorに等しい、請求項19に記載の非一時的コンピュータ可読記憶媒体。
【請求項２３】
前記通信チャネルが、物理アップリンク共有チャネル(PUSCH)を含む、請求項19に記載の非一時的コンピュータ可読記憶媒体。
【請求項２４】
前記方法が、前記アップリンク制御情報を複数の変調されたアップリンク制御情報シンボルに変調するステップをさらに含み、
前記アップリンク制御情報をマッピングするステップが、前記複数の変調されたアップリンク制御情報シンボルの各々を、前記複数の通信リソースの異なるリソース要素にマッピングするステップを含む、請求項19に記載の非一時的コンピュータ可読記憶媒体。